(57)【要約】【課題】  各染料が吸尽染色時に互いに相容性が良好な三原色用反応染料の提供。【解決手段】  次の黄色染料（Ｉ）の１種以上、赤色染料（ＩＩ）の１種以上、及び、青色染料（ＩＶ）等から選ばれる２種以上を含む組成物。2006037051.tif 0000502006037051.tif 0000512006037051.tif 000052【選択図】  なし【特許請求の範囲】
【請求項１】
下記のａ)、ｂ）及びｃ）記載の４種以上の反応染料を含有してなる反応染料組成物。
ａ）遊離酸の形で表すと、下式（Ｉ）で示される黄色反応染料から選ばれる１種以上の染料、
ｂ）遊離酸の形で表すと、下式（ＩＩ）で示される赤色反応染料から選ばれる１種以上の染料、
ｃ）遊離酸の形で表すと、下式（ＩＩＩ）で示される青色反応染料、下式（ＩＶ）で示される青色反応染料及び下式（Ｖ）で示される青色反応染料から選ばれる２種以上の染料：
2006037051.tif 000040
［式中、ｍ１は１〜３の整数を表す。Ｒ１及びＲ２は、それぞれ独立に水素原子、アルキル基、アルコキシ基、アルキルカルボニルアミノ基又はカルバモイル基を表す。Ｒ３は水素原子又はアルキル基を表す。該アルキル基の水素原子は、ヒドロキシ基、シアノ基、炭素数１〜４のアルコキシ基、カルボキシル基、カルバモイル基、アルコキシ（炭素数１〜４）カルボニル基、アルキル（炭素数１〜４）カルボニルオキシ基、スルホン酸基、スルファモイル基及びハロゲン原子からなる群より選ばれる置換基で置換されていてもよい。
Ａはフェニレン基又はナフチレン基を表す。該フェニレン基の水素原子は、炭素数１〜４のアルキル基、ハロゲン原子及びスルホン酸基からなる群より選ばれる置換基で置換されていてもよい。また、該ナフチレン基の水素原子は、スルホン酸基で置換されていてもよい。Ｘ１はハロゲン原子を表す。Ｙ１は−ＣＨ＝ＣＨ２又は−ＣＨ２ＣＨ２Ｚ１を表す。Ｚ１はアルカリの作用で脱離する基を表す。］
2006037051.tif 000041
［式中、ｍ２は１〜３の整数を表す。Ｒ４は水素原子又はアルキル基を表す。該アルキル基の水素原子は、ヒドロキシ基、シアノ基、炭素数１〜４のアルコキシ基、カルボキシル基、カルバモイル基、アルコキシ（炭素数１〜４）カルボニル基、アルキル（炭素数１〜４）カルボニルオキシ基、スルホン酸基、スルファモイル基及びハロゲン原子からなる群より選ばれる置換基で置換されていてもよい。
Ｂはフェニレン基又はナフチレン基を表す。該フェニレン基の水素原子は、炭素数１〜４のアルキル基、ハロゲン原子及びスルホン酸基からなる群より選ばれる置換基で置換されていてもよい。また、該ナフチレン基の水素原子は、スルホン酸基で置換されていてもよい。
Ｘ２は−Ｎ（Ｒ９）Ｒ１０、−ＯＲ１１、ピリジニオ基、モルホリノ基、ピペリジノ基、アルキル基、フェニル基又はナフチル基を表す。Ｒ９、Ｒ１０及びＲ１１は、それぞれ独立に水素原子、アルキル基、フェニル基又はナフチル基を表す。
Ｒ９、Ｒ１０及びＲ１１で表されるアルキル基の水素原子は、それぞれ独立にヒドロキシル基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。また、Ｒ９、Ｒ１０及びＲ１１で表されるフェニル基の水素原子は、それぞれ独立にヒドロキシル基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。さらに、Ｒ９、Ｒ１０及びＲ１１で表されるナフチル基の水素原子は、それぞれ独立にスルホン酸基で置換されていてもよい。
Ｙ２は−ＳＯ２ＣＨ＝ＣＨ２又は−ＳＯ２ＣＨ２ＣＨ２Ｚ２を表す。Ｚ２はアルカリの作用で脱離する基を表す。］
2006037051.tif 000042
［式中、Ｒ５は水素原子又はアルキル基を表す。該アルキル基の水素原子は、ヒドロキシ基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。
Ｒ６は酸素原子又はカルボニルオキシ基を表す。Ｒ７はメチル基、エチル基、ニトロ基、スルホン酸基又は塩素原子を表す。ｎは０又は１を表す。Ｄはフェニレン基又はナフチレン基を表す。該フェニレン基の水素原子は、アルキル基、ハロゲン原子及びスルホン酸基からなる群より選ばれる置換基で置換されていてもよい。また、該ナフチレン基における水素原子はスルホン酸基で置換されていてもよい。
Ｍｅは原子番号が２７〜２９の金属イオンを表す。Ｘ３はハロゲン原子を表す。Ｙ３は−ＳＯ２ＣＨ＝ＣＨ２又は−ＳＯ２ＣＨ２ＣＨ２Ｚ３を表す。Ｚ３はアルカリの作用で脱離する基を表す。］
2006037051.tif 000043
［式中、Ｅはフェニレン基又はナフチレン基を表す。該フェニレン基の水素原子は、アルキル基、ハロゲン原子及びスルホン酸基からなる群より選ばれる置換基で置換されていてもよい。また、該ナフチレン基の水素原子は、スルホン酸基で置換されていてもよい。Ｙ４は−ＳＯ２ＣＨ＝ＣＨ２又は−ＳＯ２ＣＨ２ＣＨ２Ｚ４を表す。Ｚ４はアルカリの作用で脱離する基を表す。］
2006037051.tif 000044
［式中、ｍ３は１〜３の整数を表す。Ｒ８は水素原子又はアルキル基を表す。該アルキル基の水素原子は、ヒドロキシ基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。
Ｇはフェニレン基又はナフチレン基を表す。該フェニレン基の水素原子は、アルキル基、ハロゲン原子及びスルホン酸基からなる群より選ばれる置換基で置換されていてもよい。また、該ナフチレン基の水素原子はスルホン酸基で置換されていてもよい。
Ｘ４はハロゲン原子を表す。Ｙ５は−ＳＯ２ＣＨ＝ＣＨ２又は−ＳＯ２ＣＨ２ＣＨ２Ｚ５を表す。Ｚ５はアルカリの作用で脱離する基を表す。］
【請求項２】
黄色反応染料が、遊離酸の形で表すと、下式（ＶＩ）で示される染料である請求項１に記載の反応染料組成物。
2006037051.tif 000045
［式中、Ｒ３及びＹ１は請求項１記載と同じ定義である。］
【請求項３】
赤色反応染料が、遊離酸の形で表すと、下式（ＶＩＩ）で示される染料である請求項１又は２に記載の反応染料組成物。
2006037051.tif 000046
［式中、Ｒ４及びＹ２は請求項１記載と同じ定義である。］
【請求項４】
青色反応染料が、遊離酸の形で表すと、下式（ＶＩＩＩ）で示される染料である請求項１〜３のいずれかに記載の反応染料組成物。
2006037051.tif 000047
［式中、Ｒ５及びＹ３は請求項１記載と同じ定義である。］
【請求項５】
青色反応染料が、遊離酸の形で表すと、下式（ＩＸ）で示される染料である請求項１〜３のいずれかに記載の反応染料組成物。
2006037051.tif 000048
［式中、Ｙ４は請求項１記載と同じ定義である。］
【請求項６】
青色反応染料が、遊離酸の形で表すと、下式（Ｘ）で示される染料である請求項１〜３のいずれかに記載の反応染料組成物。
2006037051.tif 000049
［式中、Ｒ８及びＹ５は請求項１記載と同じ定義である。］
【請求項７】
請求項１〜６のいずれかに記載の反応染料組成物を用いることを特徴とする繊維材料の染色又は捺染方法。
【発明の詳細な説明】
【技術分野】
【０００１】
本発明は、反応染料組成物、及びその繊維への適用に関するものである。
【背景技術】
【０００２】
反応染料は、その優れた染色特性により、セルロース系繊維等の繊維材料の染色に多用されている。反応染料を用いる繊維材料の染色においては、通常は黄色、赤色及び青色の反応染料を三原色として用い、それらを適宜組み合わせて染色されている。
下式（Ｉ）で示される黄色反応染料は特許文献１に記載されている。また、下式（ＩＩ）で示される赤色反応染料は特許文献２に記載されている。さらに、下式（ＩＩＩ）で示される青色反応染料は特許文献３に記載されている。そして、下式（ＩＶ）で示される青色反応染料は特許文献４に記載されている。また、下式（Ｖ）で示される青色反応染料は特許文献５に記載されている。
【０００３】
【特許文献１】特開昭５６−１５４８１号公報（特許請求の範囲等を参照）
【特許文献２】特開平５−１１７５３８号公報（特許請求の範囲等を参照）
【特許文献３】特開昭５９−１５４５１号公報（特許請求の範囲等を参照）
【特許文献４】特公昭２６−１９８９号公報（特許請求の範囲等を参照）
【特許文献５】特開昭５６−１２８３８０号公報（特許請求の範囲等を参照）
【０００４】
2006037051.tif 000002
［式中、ｍ１は１〜３の整数を表す。Ｒ１及びＲ２は、それぞれ独立に水素原子、アルキル基、アルコキシ基、アルキルカルボニルアミノ基又はカルバモイル基を表す。Ｒ３は水素原子又はアルキル基を表す。該アルキル基の水素原子は、ヒドロキシ基、シアノ基、炭素数１〜４のアルコキシ基、カルボキシル基、カルバモイル基、アルコキシ（炭素数１〜４）カルボニル基、アルキル（炭素数１〜４）カルボニルオキシ基、スルホン酸基、スルファモイル基及びハロゲン原子からなる群より選ばれる置換基で置換されていてもよい。
Ａはフェニレン基又はナフチレン基を表す。該フェニレン基の水素原子は、炭素数１〜４のアルキル基、ハロゲン原子及びスルホン酸基からなる群より選ばれる置換基で置換されていてもよい。また、該ナフチレン基の水素原子は、スルホン酸基で置換されていてもよい。Ｘ１はハロゲン原子を表す。Ｙ１は−ＣＨ＝ＣＨ２又は−ＣＨ２ＣＨ２Ｚ１を表す。Ｚ１はアルカリの作用で脱離する基を表す。］
【０００５】
2006037051.tif 000003
［式中、ｍ２は１〜３の整数を表す。Ｒ４は水素原子又はアルキル基を表す。該アルキル基の水素原子は、ヒドロキシ基、シアノ基、炭素数１〜４のアルコキシ基、カルボキシル基、カルバモイル基、アルコキシ（炭素数１〜４）カルボニル基、アルキル（炭素数１〜４）カルボニルオキシ基、スルホン酸基、スルファモイル基及びハロゲン原子からなる群より選ばれる置換基で置換されていてもよい。
Ｂはフェニレン基又はナフチレン基を表す。該フェニレン基の水素原子は炭素数１〜４のアルキル基、ハロゲン原子及びスルホン酸基からなる群より選ばれる置換基で置換されていてもよい。また、該ナフチレン基の水素原子はスルホン酸基で置換されていてもよい。
Ｘ２は−Ｎ（Ｒ９）Ｒ１０基、−ＯＲ１１基、ピリジニオ基、モルホリノ基、ピペリジノ基、アルキル基、フェニル基又はナフチル基を表す。Ｒ９、Ｒ１０及びＲ１１は、それぞれ独立に水素原子、アルキル基、フェニル基又はナフチル基を表す。
Ｒ９、Ｒ１０及びＲ１１で表されるアルキル基の水素原子は、それぞれ独立にヒドロキシル基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。また、Ｒ９、Ｒ１０及びＲ１１で表されるフェニル基の水素原子は、それぞれ独立にヒドロキシ基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。さらに、Ｒ９、Ｒ１０及びＲ１１で表されるナフチル基の水素原子は、それぞれ独立にスルホン酸基で置換されていてもよい。
Ｙ２は−ＳＯ２ＣＨ＝ＣＨ２又は−ＳＯ２ＣＨ２ＣＨ２Ｚ２を表す。Ｚ２はアルカリの作用で脱離する基を表す。］
【０００６】
2006037051.tif 000004
［式中、Ｒ５は水素原子又はアルキル基を表す。該アルキル基の水素原子は、ヒドロキシ基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。
Ｒ６は酸素原子又はカルボニルオキシ基を表す。Ｒ７はメチル基、エチル基、ニトロ基、スルホン酸基又は塩素原子を表す。ｎは０又は１を表す。
Ｄはフェニレン基又はナフチレン基を表す。該フェニレン基の水素原子は、アルキル基、ハロゲン原子及びスルホン酸基からなる群より選ばれる置換基で置換されていてもよい。また、該ナフチレン基における水素原子はスルホン酸基で置換されていてもよい。
Ｍｅは原子番号が２７〜２９の金属イオンを表す。Ｘ３はハロゲン原子を表す。Ｙ３は−ＳＯ２ＣＨ＝ＣＨ２又は−ＳＯ２ＣＨ２ＣＨ２Ｚ３を表す。Ｚ３はアルカリの作用で脱離する基を表す。］
【０００７】
2006037051.tif 000005
［式中、Ｅはフェニレン基又はナフチレン基を表す。該フェニレン基の水素原子は、アルキル基、ハロゲン原子及びスルホン酸基からなる群より選ばれる置換基で置換されていてもよい。また、該ナフチレン基の水素原子は、スルホン酸基で置換されていてもよい。Ｙ４は−ＳＯ２ＣＨ＝ＣＨ２又は−ＳＯ２ＣＨ２ＣＨ２Ｚ４を表す。Ｚ４はアルカリの作用で脱離する基を表す。］
【０００８】
2006037051.tif 000006
［式中、ｍ３は１〜３の整数を表す。Ｒ８は水素原子又はアルキル基を表す。該アルキル基の水素原子は、ヒドロキシ基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれるで置換基で置換されていてもよい。
Ｇはフェニレン基又はナフチレン基を表す。該フェニレン基の水素原子はアルキル基、ハロゲン原子及びスルホン酸基からなる群より選ばれる置換基で置換されていてもよい。また、該ナフチレン基の水素原子はスルホン酸基で置換されていてもよい。
Ｘ４はハロゲン原子を表す。Ｙ５は−ＳＯ２ＣＨ＝ＣＨ２又は−ＳＯ２ＣＨ２ＣＨ２Ｚ５を表す。Ｚ５はアルカリの作用で脱離する基を表す。］
【発明の開示】
【発明が解決しようとする課題】
【０００９】
三原色用の反応染料としては、赤色、青色及び黄色の各色反応染料の染着速度が等しく、吸尽染色時の挙動が揃っている（相容性が良好である）ことや、汗日光堅牢度、洗濯堅牢度や塩素堅牢度が優れていることが要求される。上記三原色用反応染料の相容性が不良である場合は、コンピューターカラーマッチィングシステムによる色合わせが困難になるという問題が生じる。また、三原色用反応染料の各色反応染料間で染色して得られる染色物の堅牢度レベルが揃っていない場合は、染色物の汗日光、洗濯や塩素等による変色が目立つという問題が生じる。したがって、上記相容性が良好で、上記染色物の変色が少ない三原色用の反応染料組成物が望まれている。
本発明の目的は、相容性が良好で、染色物の変色が少ない三原色用の反応染料組成物を提供することにある。
【課題を解決するための手段】
【００１０】
本発明者は、上記の課題を解決すべく鋭意検討した結果、特定の４種以上の反応染料組成物が三原色用反応染料として優れた相容性を有し、得られた染色物の堅牢度レベルが揃っていることを見出して、本発明を完成するに至った。
【００１１】
すなわち、本発明の（イ）は、下記のａ)、ｂ）及びｃ）記載の４種以上の反応染料を含有してなる反応染料組成物を提供するものである。
ａ）遊離酸の形で表すと、下式（Ｉ）で示される黄色反応染料から選ばれる１種以上の染料、
ｂ）遊離酸の形で表すと、下式（ＩＩ）で示される赤色反応染料から選ばれる１種以上の染料、
ｃ）遊離酸の形で表すと、下式（ＩＩＩ）で示される青色反応染料、下式（ＩＶ）で示される青色反応染料及び下式（Ｖ）で示される青色反応染料から選ばれる２種以上の染料：
【００１２】
2006037051.tif 000007
［式中、ｍ１は１〜３の整数を表す。Ｒ１及びＲ２は、それぞれ独立に水素原子、アルキル基、アルコキシ基、アルキルカルボニルアミノ基又はカルバモイル基を表す。Ｒ３は水素原子又はアルキル基を表す。該アルキル基の水素原子は、ヒドロキシ基、シアノ基、炭素数１〜４のアルコキシ基、カルボキシル基、カルバモイル基、アルコキシ（炭素数１〜４）カルボニル基、アルキル（炭素数１〜４）カルボニルオキシ基、スルホン酸基、スルファモイル基及びハロゲン原子からなる群より選ばれる置換基で置換されていてもよい。
Ａはフェニレン基又はナフチレン基を表す。該フェニレン基の水素原子は、炭素数１〜４のアルキル基、ハロゲン原子及びスルホン酸基からなる群より選ばれる置換基で置換されていてもよい。また、該ナフチレン基の水素原子は、スルホン酸基で置換されていてもよい。Ｘ１はハロゲン原子を表す。Ｙ１は−ＣＨ＝ＣＨ２又は−ＣＨ２ＣＨ２Ｚ１を表す。Ｚ１はアルカリの作用で脱離する基を表す。］
【００１３】
2006037051.tif 000008
［式中、ｍ２は１〜３の整数を表す。Ｒ４は水素原子又はアルキル基を表す。該アルキル基の水素原子は、ヒドロキシ基、シアノ基、炭素数１〜４のアルコキシ基、カルボキシル基、カルバモイル基、アルコキシ（炭素数１〜４）カルボニル基、アルキル（炭素数１〜４）カルボニルオキシ基、スルホン酸基、スルファモイル基及びハロゲン原子からなる群より選ばれる置換基で置換されていてもよい。
Ｂはフェニレン基又はナフチレン基を表す。該フェニレン基の水素原子は、炭素数１〜４のアルキル基、ハロゲン原子及びスルホン酸基からなる群より選ばれる置換基で置換されていてもよい。また、該ナフチレン基の水素原子は、スルホン酸基で置換されていてもよい。
Ｘ２は−Ｎ（Ｒ９）Ｒ１０、−ＯＲ１１、ピリジニオ基、モルホリノ基、ピペリジノ基、アルキル基、フェニル基又はナフチル基を表す。Ｒ９、Ｒ１０及びＲ１１は、それぞれ独立に水素原子、アルキル基、フェニル基又はナフチル基を表す。
Ｒ９、Ｒ１０及びＲ１１で表されるアルキル基の水素原子は、それぞれ独立にヒドロキシル基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。また、Ｒ９、Ｒ１０及びＲ１１で表されるフェニル基の水素原子は、それぞれ独立にヒドロキシル基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。さらに、Ｒ９、Ｒ１０及びＲ１１で表されるナフチル基の水素原子は、それぞれ独立にスルホン酸基で置換されていてもよい。
Ｙ２は−ＳＯ２ＣＨ＝ＣＨ２又は−ＳＯ２ＣＨ２ＣＨ２Ｚ２を表す。Ｚ２はアルカリの作用で脱離する基を表す。］
【００１４】
2006037051.tif 000009
［式中、Ｒ５は水素原子又はアルキル基を表す。該アルキル基の水素原子は、ヒドロキシ基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。
Ｒ６は酸素原子又はカルボニルオキシ基を表す。Ｒ７はメチル基、エチル基、ニトロ基、スルホン酸基又は塩素原子を表す。ｎは０又は１を表す。Ｄはフェニレン基又はナフチレン基を表す。該フェニレン基の水素原子は、アルキル基、ハロゲン原子及びスルホン酸基からなる群より選ばれる置換基で置換されていてもよい。また、該ナフチレン基における水素原子はスルホン酸基で置換されていてもよい。
Ｍｅは原子番号が２７〜２９の金属イオンを表す。Ｘ３はハロゲン原子を表す。Ｙ３は−ＳＯ２ＣＨ＝ＣＨ２又は−ＳＯ２ＣＨ２ＣＨ２Ｚ３を表す。Ｚ３はアルカリの作用で脱離する基を表す。］
【００１５】
2006037051.tif 000010
［式中、Ｅはフェニレン基又はナフチレン基を表す。該フェニレン基の水素原子は、アルキル基、ハロゲン原子及びスルホン酸基からなる群より選ばれる置換基で置換されていてもよい。また、該ナフチレン基の水素原子は、スルホン酸基で置換されていてもよい。Ｙ４は−ＳＯ２ＣＨ＝ＣＨ２又は−ＳＯ２ＣＨ２ＣＨ２Ｚ４を表す。Ｚ４はアルカリの作用で脱離する基を表す。］
【００１６】
2006037051.tif 000011
［式中、ｍ３は１〜３の整数を表す。Ｒ８は水素原子又はアルキル基を表す。該アルキル基の水素原子は、ヒドロキシ基、シアノ基、アルコキシ基、カルボキシル基、カルバモイル基、アルコキシカルボニル基、アルキルカルボニルオキシ基、スルホン酸基、スルファモイル基及びハロゲン原子からなる群より選ばれる置換基で置換されていてもよい。
Ｇはフェニレン基又はナフチレン基を表す。該フェニレン基の水素原子は、アルキル基、ハロゲン原子及びスルホン酸基からなる群より選ばれる置換基で置換されていてもよい。また、該ナフチレン基の水素原子はスルホン酸基で置換されていてもよい。
Ｘ４はハロゲン原子を表す。Ｙ５は−ＳＯ２ＣＨ＝ＣＨ２又は−ＳＯ２ＣＨ２ＣＨ２Ｚ５を表す。Ｚ５はアルカリの作用で脱離する基を表す。］
【００１７】
また、本発明の（ロ）は、上記（イ）記載の反応染料組成物を用いることを特徴とする繊維材料の染色又は捺染方法を提供するものである。
【発明の効果】
【００１８】
本発明の組成物は、三原色用の各色反応染料が吸尽染色法等において互いに相容性が良好である。また、本発明の染色方法又は捺染方法によれば、堅牢度のレベルが揃った染色物又は捺染物が得られる。
【発明を実施するための最良の形態】
【００１９】
以下、本発明を詳細に説明する。
上式（Ｉ）におけるＲ１及びＲ２は、それぞれ独立に水素原子、アルキル基、アルコキシ基、アルキルカルボニルアミノ基又はカルバモイル基を表す。
式（Ｉ）におけるＲ１及びＲ２で表されるアルキル基やアルコキシ基としては、メチル基、エチル基、メトキシ基及びエトキシ基等の炭素数１〜４のアルキル基や炭素数１〜４のアルコキシ基等が挙げられる。この場合のＲ１及びＲ２としては、メチル基やメトキシ基が好ましい。
式（Ｉ）におけるＲ１及びＲ２で表されるアルキルカルボニルアミノ基としては、例えば、アセチルアミノ基やプロピオニルアミノ基等の炭素数２〜４のアルキルカルボニルアミノ基を挙げることができる。Ｒ１及びＲ２がアルキル基やアルコキシ基以外のものである場合は、Ｒ１及びＲ２の一方が水素原子であり、他方がカルバモイル基であることが好ましい。
【００２０】
式（Ｉ）におけるＲ3、式（ＩＩ）におけるＲ4、式（ＩＩＩ）におけるＲ５及び式（Ｖ）におけるＲ8は、水素原子又はアルキル基を表す。これらのアルキル基の水素原子は置換基で置換されていてもよい。
上記の置換されていてもよいアルキル基としては、ヒドロキシ基、シアノ基、炭素数１〜４のアルコキシ基、カルボキシ基、カルバモイル基、炭素数１〜４のアルコキシカルボニル基、炭素数１〜４のアルキルカルボニルオキシ基、スルホン酸基、スルファモイル基及びハロゲン原子からなる群より選ばれる置換基で置換されていてもよい炭素数１〜４のアルキル基を挙げることができる。
かかるアルキル基としては、例えば、メチル基、エチル基、ｎ−プロピル基、ｉｓｏ−プロピル基、ｎ−ブチル基、ｉｓｏ−ブチル基、ｓｅｃ−ブチル基、２−ヒドロキシエチル基、２−ヒドロキシプロピル基、３−ヒドロキシプロピル基、２−ヒドロキシブチル基、３−ヒドロキシブチル基、４−ヒドロキシブチル基、２，３−ジヒドロキシブチル基、３，４−ジヒドロキシブチル基、シアノメチル基、２−シアノエチル基、３−シアノプロピル基、メトキシメチル基、エトキシメチル基、２−メトキシエチル基、２−エトキシエチル基、３−メトキシプロピル基、３−エトキシプロピル基、２−ヒドロキシ−３−メトキシプロピル基、クロロメチル基、ブロモメチル基、２−クロロエチル基、２−ブロモエチル基、３−クロロプロピル基、３−ブロモプロピル基、４−クロロブチル基、４−ブロモブチル基、カルボキシメチル基、２−カルボキシエチル基、３−カルボキシプロピル基、４−カルボキシブチル基、１，２−ジカルボキシエチル基、カルバモイルメチル基、２−カルバモイルエチル基、３−カルバモイルプロピル基、４−カルバモイルブチル基、メトキシカルボニルメチル基、エトキシカルボニルメチル基、２−メトキシカルボニルエチル基、２−エトキシカルボニルエチル基、３−メトキシカルボニルプロピル基、３−エトキシカルボニルプロピル基、４−メトキシカルボニルブチル基、４−エトキシカルボニルブチル基、メチルカルボニルオキシメチル基、２−メチルカルボニルオキシエチル基、２−エチルカルボニルオキシエチル基、３−メチルカルボニルオキシプロピル基、３−エチルカルボニルオキシプロピル基、４−エチルカルボニルオキシブチル基、スルホメチル基、２−スルホエチル基、３−スルホプロピル基、４−スルホブチル基、スルファモイルメチル基、２−スルファモイルエチル基、３−スルファモイルプロピル基や４−スルファモイルブチル基等を挙げることができる。
上述したＲ３、Ｒ４、Ｒ５及びＲ８としては、水素原子、メチル基やエチル基が好ましい。
【００２１】
上式（ＩＩＩ）におけるＲ６は、酸素原子又はカルボニルオキシ基を表す。Ｒ７は水素原子、メチル基、エチル基、ニトロ基、スルホン酸基又は塩素原子を表す。
Ｒ６としては、カルボニルオキシ基が好ましい。また、式（ＩＩＩ）においては、ｎが０である反応染料が好ましい。Ｍｅで表される原子番号２７〜２９の金属イオンのうち、好ましい金属イオンは銅イオンである。
【００２２】
式（Ｉ）におけるＡ、式（ＩＩ）におけるＢ、式（ＩＩＩ）におけるＤ、式（ＩＶ）におけるＥ及び式（Ｖ）におけるＧは、フェニレン基又はナフチレン基を表す。これらのフェニレン基又はナフチレン基はその水素原子が置換基で置換されていてもよい。好ましいフェニレン基としては、その水素原子の１〜２個がメチル基やエチル基等の炭素数１〜４のアルキル基、塩素原子や臭素原子等のハロゲン原子、及びスルホン酸基の群から選ばれる１又は２個の置換基により置換されていてもよいフェニレン基が挙げられる。これらのフェニレン基の具体例としては、下記の基が挙げられる。
【００２３】
2006037051.tif 000012
【００２４】
［式中、＊印で示した結合は、各々、−Ｙ１、−Ｙ２、−Ｙ３、−Ｙ４又は−Ｙ５に通じている結合を意味する。］
【００２５】
また、好ましいナフチレン基としては、その水素原子の１個がスルホン酸基の１個で置換されていてもよいナフチレン基であり、例えば下記の基が挙げられる。
【００２６】
2006037051.tif 000013
【００２７】
［式中、＊印で示した結合は、各々、−Ｙ１、−Ｙ２、−Ｙ３、−Ｙ４又は−Ｙ５に通じている結合を意味する。］
【００２８】
式（Ｉ）におけるＺ１、式（ＩＩ）におけるＺ２、式（ＩＩＩ）におけるＺ３、式（ＩＶ）におけるＺ４及び式（Ｖ）におけるＺ５は、アルカリの作用で脱離する基を表す。かかる脱離基としては、例えば、硫酸エステル基、チオ硫酸エステル基、燐酸エステル基、酢酸エステル基やハロゲン原子等を挙げることができる。
【００２９】
式（Ｉ）におけるＸ１、式（ＩＩＩ）におけるＸ３及び式（Ｖ）におけるＸ４はハロゲン原子を表す。該ハロゲン原子としては、塩素原子やフッ素原子が好ましく、塩素原子が特に好ましい。
【００３０】
式（Ｉ）で示される反応染料、式（ＩＩ）で示される反応染料、式（ＩＩＩ）で示される反応染料、式（ＩＶ）で示される反応染料及び式（Ｖ）で示される反応染料は、それぞれ、特開昭５６−１５４８１号公報、特開平５−１１７５３８号公報、特開昭５９−１５４５１号公報、特公昭２６−１９８９号公報及び特開昭５６−１２８３８０号公報に記載の方法によって製造することができる。
【００３１】
本発明において用いられる式（Ｉ）で示される反応染料としては、遊離酸の形で表すと、下式（ＶＩ）
【００３２】
2006037051.tif 000014
【００３３】
［式中、Ｒ３及びＹ１は前記と同じ定義である。］
で示される染料が好ましく、遊離酸の形で表すと、下式（ＸＩ）
【００３４】
2006037051.tif 000015
で示される染料が特に好ましい。
【００３５】
本発明において用いられる上式（ＩＩ）で示される反応染料としては、遊離酸の形で表すと、下式（ＶＩＩ）
【００３６】
2006037051.tif 000016
［式中、Ｒ４及びＹ２は前記と同じ定義である。］
で示される染料が好ましく、遊離酸の形で表すと、下式（ＸＩＩ）
2006037051.tif 000017
で示される染料が特に好ましい。
【００３７】
本発明において用いられる上式（ＩＩＩ）で示される反応染料としては、遊離酸の形で表すと、下式（ＶＩＩＩ）
2006037051.tif 000018
［式中、Ｒ５及びＹ３は前記と同じ定義である。］
で示される染料が好ましく、遊離酸の形で表すと、下式（ＸＩＩＩ）
2006037051.tif 000019
で示される染料が特に好ましい。
【００３８】
本発明において用いられる上式（ＩＶ）で示される反応染料としては、遊離酸の形で表すと、下式（ＩＸ）
2006037051.tif 000020
［式中、Ｙ４は前記と同じ定義である。］
で示される染料が好ましく、遊離酸の形で表すと、下式（ＸＩＶ）
2006037051.tif 000021
で示される染料が特に好ましい。
【００３９】
本発明において用いられる上式（Ｖ）で示される反応染料としては、遊離酸の形で表すと、下式（Ｘ）
2006037051.tif 000022
［式中、Ｒ８及びＹ５は前記と同じ定義である。］
で示される染料が好ましく、遊離酸の形で表すと、下式（ＸＶ）
2006037051.tif 000023
で示される染料が特に好ましい。
【００４０】
本発明における式（Ｉ）〜（Ｖ）で示される反応染料は、遊離酸の形で又はその塩の形で存在し、アルカリ金属塩及びアルカリ土類金属塩が好ましく、ナトリウム塩、カリウム塩又はリチウム塩が特に好ましい。
【００４１】
本発明において、各反応染料の混合方法は特に限定されるものではなく、染色に用いられる前に予め混合しておいてもよく、染色時に混合してもよい。
本発明の反応染料組成物は、上式（Ｉ）で示される黄色反応染料の１種以上、上式（ＩＩ）で示される赤色反応染料の１種以上、及び上式（ＩＩＩ）〜（Ｖ）で示される青色反応染料の２種以上を含有してなるものである。
【００４２】
黄色反応染料（Ｉ）、赤色反応染料（ＩＩ）及び青色反応染料（ＩＩＩ）〜（Ｖ）の混合割合は、染料特性や所望の色相及び染色法に応じて、適宜決定することができる。また、上記の黄色反応染料、赤色反応染料や青色反応染料がそれぞれ２種以上の反応染料からなるときは、各色の反応染料において１種の反応染料と他の１種以上の反応染料との混合割合は、重量比で１：１〜１：３０の範囲であることが好ましい。
【００４３】
本発明の反応染料組成物は、必要に応じて、芒硝や食塩等の無機塩；ナフタレンスルホン酸ソーダ／ホルマリン縮合物、アルキルナフタレンスルホン酸ソーダ／ホルマリン縮合物やアセチルアミノナフトール系化合物等の分散剤；ジ−２−エチルヘキシルテレフタレート系等の粉塵飛散防止剤；酢酸ナトリウム塩や燐酸ナトリウム塩等のｐＨ緩衝剤；ポリ燐酸塩等の硬水軟化剤；染色助剤；その他の染料等を含有することができる。
本発明の反応染料組成物はその形態において特に限定されるものではなく、例えば、粉末状であってもよく、顆粒状であってもよく、液体状であってもよい。
本発明の反応染料組成物は、繊維材料、特にセルロース系繊維材料及びそれを含有する繊維材料の染色又は捺染に有用である。セルロース系繊維材料としては、例えば木綿、リネン、麻、ジュード、ラミー繊維、ビスコース人絹やベンベルグ等の天然又は再生セルロース繊維、及びこれらの混交品が例示される。また、セルロース系繊維を含有する繊維材料としては、木綿／ポリエステル、木綿／ナイロンや木綿／アクリル混交品等が例示される。
【００４４】
本発明における染色方法や捺染方法としては、例えば、吸尽染色法、コールドバッチアップ染色法、連続染色法、一相捺染法や二相捺染法等が挙げられる。
吸尽染色法では、無水芒硝や食塩等の無機中性塩、及び、炭酸ソーダ、重炭酸ソーダ、第三燐酸ソーダや苛性ソーダ等のアルカリの単独又は混合物を用いて染色する方法等が例示される。無機中性塩やアルカリの使用量は、通常は１ｇ／ｌ〜１００ｇ／ｌの範囲である。また、これらの無機中性塩やアルカリの染浴への投入は一度に行ってもよく、分割して投入してもよい。その他、均染剤、緩染剤や浴中柔軟剤等の染色助剤を併用してもよい。染色温度は、通常は４０〜９０℃の範囲であり、好ましくは４０〜７０℃の範囲である。
コールドバッチアップ染色法では、無水芒硝や食塩等の無機中性塩、及び、苛性ソーダやケイ酸ソーダ等のアルカリを用いてパジング後、密閉包装材料中に０〜９０℃の範囲、好ましくは１０〜４０℃の範囲の温度で放置して染色する方法等が例示される。
連続染色法では、炭酸ソーダ、重炭酸ソーダや苛性ソーダ等のアルカリを染料パジング液に混合し、パジング後、乾熱又は蒸熱により染色する一浴パジング法、並びに、染料パジング後、無水芒硝や食塩等の無機中性塩及び苛性ソーダやケイ酸ソーダ等のアルカリをパジングし、乾熱又は蒸熱により染色するニ浴パジング法等が例示される。
一相捺染法では、炭酸ソーダや重炭酸ソーダ等のアルカリを含む捺染ペーストを印捺後、乾燥、蒸熱して捺染する方法が挙げられる。二相捺染法では、捺染ペーストを印捺後、無水芒硝や食塩等の無機中性塩、及び苛性ソーダやケイ酸ソーダ等のようなアルカリ溶液の８０℃以上の高温中に投入して捺染する方法が例示される。
これらの染色又は捺染時に、均染剤、緩染剤や浴中柔軟剤を併用してもよい。
【００４５】
セルロース繊維上に上記の反応染料組成物を固定させるのに適したアルカリとしては、苛性ソーダ、苛性カリ、重曹、炭酸ソーダ、蟻酸ソーダ、炭酸カリ、第一燐酸ソーダ、第二燐酸ソーダ、第三燐酸ソーダ、ケイ酸ソーダやトリクロロ酢酸ソーダ等が挙げられる。
本発明の反応染料組成物は、繊維材料の染色や捺染において、均染性及び再現性が極めて良好であり、ビルドアップ性も良好である。また、本発明の反応染料組成物からは、諸堅牢度の良好な染色物や捺染物が得られる。また、本発明の反応染料組成物は、相容性が良好であり、片面起毛布等の表裏で濃度差や色相差が生じやすい繊維材料においても、表裏の濃度差や色相差が小さい安定した染色物を与える。さらに、本発明の反応染料組成物は、吸尽染色において染色温度依存性及び浴比依存性が小さく、染色再現性に優れており、高い染色濃度であっても、少ない中性無機塩の添加で十分なカラーイールドが得られる。そして、染色時の反応染料の固着率が高いので、染色排水の着色負荷が小さい。
【実施例】
【００４６】
以下、実施例により本発明を更に詳細に説明するが、本発明はこれらの例に限定されるものではない。なお、例中の％及び部は、特記しない限り、重量％及び重量部を表す。
【００４７】
実施例１
遊離酸の形で表すと、下式（ＸＩ）
【００４８】
2006037051.tif 000024
【００４９】
で示される染料３００部、遊離酸の形で表すと、下式（ＸＩＩ）
【００５０】
2006037051.tif 000025
【００５１】
で示される染料３００部、遊離酸の形で表すと、下式（ＸＩＩＩ）
2006037051.tif 000026
【００５２】
で示される染料２００部、遊離酸の形で表すと、下式（ＸＩＶ）
【００５３】
2006037051.tif 000027
【００５４】
で示される染料１００部、及び、遊離酸の形で表すと下式（ＸＶ）
【００５５】
2006037051.tif 000028
【００５６】
で示される染料１００部を混合すると、茶色の反応染料組成物が得られる。
該反応染料組成物０．０８ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に６０℃で６０分間編み物を染色後、洗浄する。得られた染色物の洗濯堅牢度、汗日光堅牢度及び塩素堅牢度は良好である。また、染色時の相容性が良好であるので、再現性良く斑のない均一な茶色の染色物が得られる。
【００５７】
実施例２
上式（ＸＩ）で示される染料３００部、上式（ＸＩＩ）で示される染料３００部、上式（ＸＩＶ）で示される染料３５０部及び上式（ＸＶ）で示される染料５０部を混合すると、茶色の反応染料組成物が得られる。
該反応染料組成物０．１０ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に６０℃で６０分間編み物を染色後、洗浄する。得られた染色物の洗濯堅牢度、汗日光堅牢度及び塩素堅牢度は良好である。また、染色時の相容性が良好であるので、再現性良く斑のない均一な茶色の染色物が得られる。
【００５８】
実施例３
上式（ＸＩ）で示される染料４００部、上式（ＸＩＩ）で示される染料２００部、上式（ＸＩＶ）で示される染料２００部及び上式（ＸＶ）で示される染料２００部を混合すると、緑色の反応染料組成物が得られる。該反応染料組成物０．４０ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、６０℃で６０分間編み物を染色後、洗浄する。得られた染色物の洗濯堅牢度、汗日光堅牢度及び塩素堅牢度は良好である。また、染色時の相容性が良好であるので、再現性良く斑のない均一な濃い緑色の染色物が得られる。
【００５９】
実施例４
上式（ＸＩ）で示される染料３００部、上式（ＸＩＩ）で示される染料１００部、上式（ＸＩＩＩ）で示される染料１５０部及び上式（ＸＶ）で示される染料４５０部を混合すると、緑色の反応染料組成物が得られる。該反応染料組成物０．４０ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで炭酸ソーダ２．０ｇを浴中に投入して、６０℃で６０分間編み物を染色後、洗浄する。得られた染色物の洗濯堅牢度、汗日光堅牢度及び塩素堅牢度は良好である。また、染色時の相容性が良好であるので、再現性良く斑のない均一な濃い緑色の染色物が得られる。
【００６０】
実施例５
上式（ＸＩ）で示される染料３００部、上式（ＸＩＩ）で示される染料１００部、上式（ＸＩＩＩ）で示される染料３００部及び上式（ＸＩＶ）で示される染料３００部を混合すると、緑色の反応染料組成物が得られる。該反応染料組成物０．４０ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、６０℃で６０分間編み物を染色後、洗浄する。得られた染色物の洗濯堅牢度、汗日光堅牢度及び塩素堅牢度は良好である。また、染色時の相容性が良好であるので、再現性良く斑のない均一な濃い緑色の染色物が得られる。
【００６１】
実施例６
遊離酸の形で表すと、下式（ＸＶＩ）
【００６２】
2006037051.tif 000029
で示される染料１００部、遊離酸の形で表すと、下式（ＸＶＩＩ）
【００６３】
2006037051.tif 000030
【００６４】
で示される染料６００部、遊離酸の形で表すと、下式（ＸＶＩＩＩ）
【００６５】
2006037051.tif 000031
で示される染料１５０部及び上式（ＸＶ）で示される染料１５０部を混合すると、濃紫色の反応染料組成物が得られる。該反応染料組成物０．０８ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入して、６０℃で６０分間編み物を染色後、洗浄する。得られた染色物の洗濯堅牢度、汗日光堅牢度及び塩素堅牢度は良好である。また、染色時の相容性が良好であるので、再現性良く斑のない均一な濃い紫色の染色物が得られる。
【００６６】
実施例７
遊離酸の形で表すと、上式（ＸＩ）で示される染料２００部、上式（ＸＩＩ）で示される染料２００部、上式（ＸＩＶ）で示される染料４５０部、及び、遊離酸の形で表すと、下式（ＸＩＸ）
2006037051.tif 000032
で示される染料１５０部を混合すると、灰色の反応染料組成物が得られる。該反応染料組成物０．１０ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入して、６０℃で６０分間編み物を染色後、洗浄する。得られた染色物の洗濯堅牢度、汗日光堅牢度及び塩素堅牢度は良好である。また、染色時の相容性が良好であるので、再現性良く斑のない均一な灰色の染色物が得られる。
【００６７】
実施例８
遊離酸の形で表すと上式（ＸＩ）で示される染料１５０部、遊離酸の形で表すと上式（ＸＩＩ）で示される染料１５０部、遊離酸の形で表すと上式（ＸＩＩＩ）で示される染料５００部、及び、遊離酸の形で表すと下式（ＸＸ）
【００６８】
2006037051.tif 000033
【００６９】
で示される染料２００部を混合すると、紺色の反応染料組成物が得られる。該反応染料組成物０．２０ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入して、６０℃で６０分間編み物を染色後、洗浄する。得られた染色物の洗濯堅牢度、汗日光堅牢度及び塩素堅牢度は良好である。また、相容性が良好であるので、再現性良く斑のない均一な紺色の染色物が得られる。
【００７０】
実施例９
遊離酸の形で表すと、下式（ＸＸＩ）
2006037051.tif 000034
で示される染料１００部、遊離酸の形で表すと、下式（ＸＸＩＩ）
2006037051.tif 000035
【００７１】
で示される染料１００部、遊離酸の形で表すと上式（ＸＩＸ）で示される染料２００部、及び、遊離酸の形で表すと、上式（ＸＶＩＩＩ）で示される染料６００部を混合すると、紺色の反応染料組成物が得られる。該反応染料組成物０．５０ｇ及び無水芒硝５．０ｇを綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入して、６０℃で６０分間編み物を染色後、洗浄する。得られた染色物の洗濯堅牢度、汗日光堅牢度及び塩素堅牢度は良好である。また、相容性が良好であるので、再現性良く斑のない均一な濃い紺色の染色物が得られる。
【００７２】
実施例１０
遊離酸の形で表すと、下式（ＸＸＩＩＩ）
2006037051.tif 000036
【００７３】
で示される染料５０部、遊離酸の形で表すと、上式（ＸＶＩＩ）で示される化合物１５０部、遊離酸の形で表すと、下式（ＸＸＩＶ）
2006037051.tif 000037
で示される化合物４００部、及び、遊離酸の形で表すと下式（ＸＸＶ）
2006037051.tif 000038
で示される染料４００部を混合すると、紺色の反応染料組成物が得られる。該反応染料組成物０．５０ｇ及び無水芒硝５．０ｇを、綿繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入して、６０℃で６０分間編み物を染色後、洗浄する。得られた染色物の洗濯堅牢度、汗日光堅牢度及び塩素堅牢度は良好である。また、相容性が良好であるので、再現性良く斑のない均一な濃い紺色の染色物が得られる。
【００７４】
実施例１１
実施例２で得られた茶色の染料組成物２００部を熱水で溶解後、２５℃迄冷却し、アルギン酸ソーダ１部、メタニトロベンゼンスルホン酸ソーダ１０部及び炭酸水素ナトリウム２０部を添加し、更に水を加えて全量を２５℃で１０００部とし、この液をパジング液として用いて木綿織物をパジングし、織物を１２０℃で２分間乾燥し、次いで１００℃で５分間スチーミングして染料を固着させる。得られた染色物の洗濯堅牢度、汗日光堅牢度及び塩素堅牢度は良好である。また、上記染色を繰り返しても、染色の再現性は良好である。
【００７５】
実施例１２
実施例２で得た反応染料組成物を用いて、以下の組成をもつ色糊を作る。
【００７６】
【表１】
2006037051.tif 000039
【００７７】
この色糊をシルケット加工綿ブロード上に印捺し、中間乾燥後、１００℃で５分間スチーミングを行い、湯洗い、ソーピング、湯洗い、そして乾燥して仕上げる。均一な茶色の捺染物が得られる。得られる捺染物の諸堅牢度は良好である。
【００７８】
実施例１３
実施例２で得た反応染料組成物３０ｇを熱水に溶解した後、２５℃に冷却する。この染料溶液に、３２．５％苛性ソーダ水溶液１５ｇ及び５０度ボーメの水ガラス１５０ｇを添加し、更に２５℃で水を加えて全量を１０００ｇとした直後に、この液をパジング液として木綿織物をパジングする。パジングした木綿織物を巻き上げ、ポリエチレンフィルムで密閉して、２５℃の室温で２０時間放置した後、常法で洗浄し、乾燥して仕上げる。諸堅牢度が良好であり、均一な茶色の染色物が得られる。
【産業上の利用可能性】
【００７９】
本発明の反応染料組成物は、セルロース繊維等を染色又は捺染する際の染料として有用である。また、本発明の方法で得られた染色物は、衣料として有用である。